(57)【特許請求の範囲】
【請求項１】
タンク本体と、
その底部に設置した、タンクの側面からの引き出しが可能で、かつ上部を開放した容器であるスライド容器と、
スライド容器よりも上に位置する底蓋とより構成し、
底蓋によってスライド容器の上部空間を止水状態で仕切ることができるように構成した、
タンクの沈殿汚泥の除去装置。
【請求項２】
底蓋は、タンク内面に、起倒自在にヒンジで取り付けてある、
請求項１記載のタンクの沈殿汚泥の除去装置。
【請求項３】
底蓋は、複数に分割してある、
請求項１または請求項２記載のタンクの沈殿汚泥の除去装置。
【請求項４】
底蓋は、上底蓋と下底蓋の二重の底蓋で構成し、
各底蓋には開口部と閉鎖部を設け、
上下の底蓋の開口部の位置が一致した場合に汚泥を流出でき、
上下の底蓋の開口部と閉鎖部の位置が一致した場合に、汚泥の流出が阻止できるように構成した、
請求項１から請求項３のいずれか１項に記載のタンクの沈殿汚泥の除去装置。
【発明の詳細な説明】
【技術分野】
【０００１】
本発明は、タンク、受水槽の底部に堆積した沈殿汚泥を除去する装置に関するものである。
【背景技術】
【０００２】
汚水、濁水を貯めるタンクの底部には沈殿物が堆積する。
蓄積したままであると処理容積が減少するので、適当な時期に堆積した沈殿汚泥を除去する必要がある。
そのために従来は次のような方法が採用されていた。
＜１＞  タンク内の水を抜き、作業員がタンクの内部に入って人力で沈殿汚泥を除去する方法。
＜２＞  バックホーなどの重機によって掻き出す方法。
＜３＞  特許文献１に示すように真空ポンプからの吸引ホースによって汚泥を吸引する方法。
【先行技術文献】
【特許文献】
【０００３】
【特許文献１】特開平７−２１４０９６号公報
【発明の概要】
【発明が解決しようとする課題】
【０００４】
前記した従来のタンクの沈殿汚泥の除去装置にあっては、次のような問題点がある。
＜１＞  人力による方法は、丁寧で確実な除去ができるが、事前の水抜き作業と、タンク内に入って行う汚泥の搬出という重労働が必要になる。
＜２＞  バックホーなどの重機のショベルによって掻き出す方法では、タンクの側面や底面に過大な外力を与え破損させる可能がある。さらに地上から行う水底での作業であるので、丁寧な汚泥の除去が困難である。
＜３＞  負圧で吸引する作業も、地上からの遠隔操作によるものであり、かつ負圧だけに頼る作業なので、タンクの底部に付着したような汚泥を確実に除去することは困難である。
【課題を解決するための手段】
【０００５】
上記のような課題を解決する本発明のタンクの沈殿汚泥の除去装置は、タンク本体と、その底部に設置した、タンクの側面からの引き出しが可能で、かつ上部を開放した容器であるスライド容器と、スライド容器よりも上に位置する底蓋とより構成し、底蓋によってスライド容器の上部空間を止水状態で仕切ることができることを特徴としたものである。
【発明の効果】
【０００６】
本発明のタンクの沈殿汚泥の除去装置は以上説明したようになるから次のような効果の少なくともひとつを得ることができる。
＜１＞  沈殿汚泥がスライド容器の一定量、堆積したら、底蓋３を閉鎖して止水状態を維持した後に容器を引き出して汚泥を除去することができる。
＜２＞  この除去作業は、地上の空間で行うことができるから、作業員がタンクの中に入ったり、汚泥を搬出する、といった重労働を行う必要がなく経済的である。
＜３＞  堆積した汚泥を地上で、目視しながら除去できるから、容器の底部に付着した汚泥なども完全に除去することができる。
【図面の簡単な説明】
【０００７】
【図１】本発明のタンクの沈殿汚泥の除去装置の実施例の分解斜視図。
【図２】汚泥の投入状態の説明図。
【図３】汚泥の沈降状態の説明図。
【図４】底蓋でタンク内を仕切った状態の説明図。
【図５】スライド容器を引き出した状態の説明図。
【図６】底蓋を分割した実施例の説明図。
【図７】底蓋を二重に配置する構造の説明図。
【図８】二重底蓋の機能の説明図。
【図９】ヒンジからの漏水を阻止する構造の実施例の説明図。
【図１０】底蓋の開閉の他の実施例の説明図。
【発明を実施するための形態】
【０００８】
以下図面を参照にしながら本発明のタンクの沈殿汚泥の除去装置の好適な実施の形態を詳細に説明する。
【実施例】
【０００９】
＜１＞全体の構成
本発明のタンクの沈殿汚泥の除去装置は、タンク１本体と、その底部に設置したスライド容器２によって構成する。
【００１０】
＜２＞タンク
タンク１は汚泥を一時、投入する容器であり、一般に上部を開放した立方体、直方体の容器である。
【００１１】
＜３＞スライド容器
タンク１の底部にはスライド容器２を設ける。
このスライド容器２は、机の引き出しのように、タンク１の側面からの引き出したり、タンク１側面への挿入が可能な容器である。
スライド容器２の外形は立方体、直方体の容器であり、上部が開放してあり、引き出しが容易であるように、外面には取っ手２１を取り付ける。
ひとつのタンク１に、ひとつ、あるいは複数のスライド容器２を設けることができる。
タンク１の側面からスライド容器２を挿入して完全に収納した場合には、タンク１の止水性を確保しており、タンク１の壁面とスライド容器２の隙間から漏水することはない。
【００１２】
＜４＞底蓋
タンク１の内部には、スライド容器２よりも上に、底蓋３を設ける。
底蓋３は、例えばその一端をタンク１の内壁にヒンジ３１で取り付ける。
すると底蓋３はヒンジ３１を介して起倒自在となり、必要に応じて倒してタンク１の底を仕切り、起こして内壁に平行に位置させることができる。
図の例では底蓋３は２分割してあり、タンク１内壁の両側に位置しているが、分割せずに片側に位置させるだけでもよい。
いずれの場合でも、底蓋３をほぼ水平まで倒した場合には、タンク１の内部を底板によって上下に止水状態で仕切ることができるように構成する。
そのために、底蓋３の端部には止水シールなどの止水材３２を取り付けておく。
【００１３】
＜５＞タンクの作動
次に上記で説明した本発明のタンク１の作動について説明する。
【００１４】
＜６＞汚泥の投入（図２）
通常の使用時には、多量の水に溶解した汚泥をタンク１の上部、側部から投入する。
その際には底蓋３は開放状態にある。
またスライド容器２は、タンク１の底部に位置しており、完全な止水性を確保している。
【００１５】
＜７＞スライド容器内への堆積（図３）
汚泥を投入して一定時間が経過すると、比重によって上水と汚泥粒子とが分離する。
分離して沈降した汚泥は、スライド容器２の内部に堆積する。
【００１６】
＜８＞底蓋による仕切り（図４）
スライド容器２内に堆積した汚泥の量が一定以上になったら、底蓋３を倒す。
底蓋３を倒すことによってタンク１内の空間を底蓋３の上下で止水状態で仕切ることができる。
【００１７】
＜９＞スライド容器の引き出し（図５）
タンク１内の空間を倒した底蓋３で止水状態で上下に仕切ることができたら、底蓋３の下にあるスライド容器２をタンク１の側面から外部に向けて引き出す。
スライド容器２には沈降した汚泥が堆積しているので、引き出したスライド容器２を作業のしやすい空き地などに搬出して、手作業、あるいは機械作業で沈降した汚泥を除去する。
この除去作業は水中ではなく、大気中で、場合によっては屋内で目視によって行うので、容易でかつ完全な汚泥の除去を行うことができる。
【００１８】
＜１０＞スライド容器の収納
スライド容器２の内部の汚泥の除去が終わったら、きれいになったライド容器２を、再びタンク１底部の側面から挿入する。
その後に底蓋３を引き上げて底蓋３の上下間の止水性を解除し、タンク１内を一体の容器として新たな汚泥の投入に備える。
【００１９】
＜１１＞底蓋の分割（図６）
上記したように底蓋３は、スライド容器２をセットする前は閉鎖してあり、スライド容器２をセットし後に開放し得る構成である。
したがって底蓋３の開放の際にはその上には汚泥水の重量が加わっており、その重量によって変形する可能性、あるいは底蓋３が開きにくい可能性も想定される。
そのための対策として図６に示すように、底蓋３を１枚の底蓋３ではなく、分割した底蓋、すなわち分割底蓋３ａとして構成することも可能である。
分割した場合には、隣接する分割底蓋３ａとの重なり部分に、蓋間止水材３５を取り付ける。
これは柔軟性の大きい棒状体あるいは帯状体の止水材であり、分割底蓋３ａの間に挟まれて変形して蓋間の止水性を向上させることができる。
【００２０】
＜１２＞二重底蓋（図７，８）
同様の目的で、底蓋を上底蓋３ｂと下底蓋３ｃの二重に重ねて相互にスライドできる構造を採用することができる。
その場合には両底蓋ともに、上下に貫通した開口部３７と、閉鎖した閉鎖部３６を設ける。
この二重の底蓋３ｂ、３ｃの位置をずらすことによって、上下の開口部３７の位置を一致させたり、閉鎖部３６と開口部３７の位置を一致させる。（図８下図）
上下の開口部３７の位置が一致すれば、その開口部３７が表裏で貫通することになり、汚泥の排出が可能となる。
上下の開口部３７と閉鎖部３６の位置が一致すれば、上底蓋３ｂの開口部３７は、下底蓋３ｃの閉鎖部３６で閉鎖されることになり、汚泥の排出は阻止される。（図８上図）
【００２１】
＜１３＞ヒンジ部の止水
底蓋３を観音開きにする構成では、その開閉はヒンジ３１での回転によって行う。
このヒンジ３１の止水性が完全でない場合には、そこからの漏水の可能性もある。
そこでヒンジ３１の下部に受け溝３３を設け、ヒンジ３１からの漏水を受け溝３３で受けて外部へ排水する構成を採用することができる。
この受け溝３３の底部の一端はタンク１の壁面の内側に固定する。
受け溝３３の他の側面の上端には蓋下止水材３４を取り付ける。
この蓋下止水材３４も、柔軟性の高い棒状体、帯状体であり、その上に閉鎖時の底蓋３が被さって蓋下止水材３４を変形して止水効果を発揮する構造である。
受け溝３３はタンク１の壁面の内側の全周に設置すれば、ヒンジ３１からの漏水だけでなく、底蓋３の端面からの漏水もそこで受けてタンク外に排除することができる。
【００２２】
＜１４＞蓋の開閉
図１０に示すように、タンク１壁面の片側の縁に２か所づつの、樋状のガイド４を設ける。
そして、このガイド４にメッシュの開閉スイッチと連動した棒を預ける。
この棒の引き部材を押し引きしてメッシュを開閉させる。
底蓋３を持ち上げるときには、棒を持ち上げて底蓋３を持ち上げる。
メッシュ開閉スイッチと棒は自由度の高いリングなどでつなぐことで、底蓋３を持ち上げる作業を容易にする。
底蓋３を開けたあとには、隣接するガイド４に棒を預ける。このガイド４に棒を預けることで、ガイド４は底蓋３を固定する役割を果たす。
【符号の説明】
【００２３】
１：タンク
２：スライド容器
３：底蓋
【図１】
0005840553.tif 000002
【図２】
0005840553.tif 000003
【図３】
0005840553.tif 000004
【図４】
0005840553.tif 000005
【図５】
0005840553.tif 000006
【図６】
0005840553.tif 000007
【図７】
0005840553.tif 000008
【図８】
0005840553.tif 000009
【図９】
0005840553.tif 000010
【図１０】
0005840553.tif 000011